(57)【要約】【課題】効率的に「Ｅｎｅｒｇｙ  Ｓａｖｉｎｇ」を実現しつつ移動局のＣＳＧセルへのハンドオーバを適切に行う。【解決手段】本発明に係る移動通信方法は、第１周波数ｆ１のセル＃Ａで通信中の移動局ＵＥが、アクセス権を有する第２周波数ｆ２のＣＳＧセル＃１に対応する所定エリア＃１内に入ったことを検出した場合に、セル＃Ａを管理する無線基地局ｅＮＢ＃Ａに対して「Ｐｒｏｘｉｍｉｔｙ  Ｉｎｄｉｃａｔｉｏｎ」を送信する工程Ａと、無線基地局ｅＮＢ＃Ａが、「Ｐｒｏｘｉｍｉｔｙ  Ｉｎｄｉｃａｔｉｏｎ」に応じて、ＣＳＧセル＃１を管理する無線基地局ＨｅＮＢ＃１から、ＣＳＧセル＃１に係るパラメータを取得する工程Ｂと、無線基地局ｅＮＢ＃Ａが、移動局ＵＥに対して、かかるパラメータを通知する工程Ｃとを有する。【選択図】図４
2011142580.tif 000002
【特許請求の範囲】
【請求項１】
第１周波数のセルで通信中の移動局が、アクセス権を有する限定セルに対応する所定エリア内に入ったことを検出した場合に、該第１周波数のセルを管理する第１無線基地局に対して、指示情報を送信する工程Ａと、
前記第１無線基地局が、前記指示情報に応じて、前記限定セルを管理する第２無線基地局から、該限定セルに係るパラメータを取得する工程Ｂと、
前記第１無線基地局が、前記パラメータに基づいて、前記移動局において前記限定セルを測定可能とするための設定を行う工程Ｃと、
前記移動局が、前記第１無線基地局に対して、前記限定セルにおけるセル識別子及び測定結果を報告する工程Ｄとを有することを特徴とする移動通信方法。
【請求項２】
前記工程Ｂは、
前記第１無線基地局が、前記指示情報に応じて、前記第２無線基地局に対して、パラメータ取得要求を送信する工程と、
前記第２無線基地局が、前記パラメータ取得要求に応じて、運転停止状態から運転状態に遷移する工程と、
前記第２無線基地局が、前記運転状態に遷移した後、前記第１無線基地局に対して、前記パラメータを送信する工程とを有することを特徴とする請求項１に記載の移動通信方法。
【請求項３】
前記パラメータは、前記限定セルで用いられているセル識別子及び周波数であることを特徴とする請求項１に記載の移動通信方法。
【請求項４】
前記第１無線基地局が、前記第２無線基地局から取得した前記パラメータを記憶しておく工程Ｅを更に有することを特徴とする請求項１に記載の移動通信方法。
【請求項５】
前記第１無線基地局は、前記工程Ｄにおいて前記移動局から受信した前記セル識別子と、前記工程Ｂにおいて前記第２無線基地局から取得した前記セル識別子とが一致した場合に、前記移動局に対して、該セル識別子によって特定されるセルにおける報知情報を受信して該報知情報の一部を報告することを要求する工程Ｆを更に有することを特徴とする請求項３に記載の移動通信方法。
【請求項６】
前記工程Ａにおいて、前記指示情報に、前記限定セルのＣＧＩ（Ｃｅｌｌ  Ｇｌｏｂａｌ  Ｉｄｅｎｔｉｔｙ）が含まれていることを特徴とする請求項１に記載の移動通信方法。
【請求項７】
第１周波数のセルを管理する無線基地局であって、
前記第１周波数のセルで通信中の移動局が、アクセス権を有する限定セルに対応する所定エリア内に入ったことを検出した場合に、該移動局から、指示情報を受信するように構成されている指示情報受信部と、
前記指示情報に応じて、前記限定セルを管理する第２無線基地局から、該限定セルに係るパラメータを取得するように構成されている取得部と、
前記パラメータに基づいて、前記移動局において前記限定セルを測定可能とするための設定を行うように構成されているハンドオーバ処理部とを具備することを特徴とする無線基地局。
【請求項８】
前記ハンドオーバ処理部は、前記移動局から前記限定セルにおけるセル識別子及び測定結果を受信するように構成されており、
前記ハンドオーバ処理部は、受信した前記セル識別子と、前記取得部によって前記第２無線基地局から取得された前記セル識別子とが一致した場合に、前記移動局に対して、該セル識別子によって特定されるセルにおける報知情報を受信して該報知情報の一部を報告することを要求するように構成されていることを特徴とする請求項７に記載の無線基地局。
【請求項９】
限定セルを管理する無線基地局であって、
第１周波数のセルで通信中の移動局が、アクセス権を有する前記限定セルに対応する所定エリア内に入ったことを検出した場合に、指示情報を受信した該第１周波数のセルを管理する無線基地局から、パラメータ取得要求を受信するように構成されている受信部と、
前記パラメータ取得要求に応じて、運転停止状態から運転状態に遷移するように構成されている制御部と、
前記運転状態に遷移した後、前記第１無線基地局に対して、前記限定セルに係るパラメータを送信するように構成されている送信部とを具備することを特徴とする無線基地局。
【請求項１０】
前記パラメータは、前記限定セルで用いられているセル識別子及び周波数であることを特徴とする請求項７又は９に記載の無線基地局。
【発明の詳細な説明】
【技術分野】
【０００１】
本発明は、移動通信方法及び無線基地局に関する。
【背景技術】
【０００２】
昨今、移動通信システムにおける「Ｅｎｅｒｇｙ  Ｓａｖｉｎｇ」が脚光を浴びている。移動通信システムにおける「Ｅｎｅｒｇｙ  Ｓａｖｉｎｇ」とは、在圏している移動局が存在しないセルやトラフィックが少ないセルにおいて、信号の送信電力を低く抑えたり信号の送信を停止したりすることによって、ネットワーク全体における信号の送信電力を低く抑えるという考え方である。
【０００３】
ＣＳＧ（Ｃｌｏｓｅｄ  Ｓｕｂｓｃｒｉｂｅｒ  Ｇｒｏｕｐ）セルを管理する無線基地局ＨｅＮＢ（Ｈｏｍｅ  ｅＮＢ）の場合、特に、日中は、移動局ＵＥのユーザが外出する機会が多いため、無線基地局ＨｅＮＢを運転停止状態としておくことが望ましい。
【先行技術文献】
【非特許文献】
【０００４】
【非特許文献１】３ＧＰＰ  ＴＳ３６.３００  ｖ９.２.０
【非特許文献２】３ＧＰＰ  ＴＳ３６.３３１  ｖ９.１.０
【非特許文献３】３ＧＰＰ  ＴＳ３６.３０４  ｖ９.１.０
【発明の概要】
【発明が解決しようとする課題】
【０００５】
しかしながら、従来の移動通信システムでは、無線基地局ＨｅＮＢが、運転停止状態から運転状態に遷移する際に、無線基地局ＨｅＮＢ配下のＣＳＧセルで使用されるＰＣＩ（Ｐｈｙｓｉｃａｌ  Ｃｅｌｌ  Ｉｄｅｎｔｉｔｙ）やＥＡＲＦＣＮ（Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）等のパラメータが変わってしまう可能性がある。
【０００６】
したがって、無線基地局ｅＮＢ配下のセルで通信中の移動局ＵＥが、アクセス権を有する無線基地局ＨｅＮＢ配下のＣＳＧセルに近づいた場合であっても、無線基地局ｅＮＢ及び移動局ＵＥが、かかるＣＳＧセルで使用されているパラメータを知らないため、移動局ＵＥの当該ＣＳＧセルへのハンドオーバを行うことができないという問題点があった。
【０００７】
そこで、本発明は、上述の課題に鑑みてなされたものであり、効率的に「Ｅｎｅｒｇｙ  Ｓａｖｉｎｇ」を実現しつつ移動局のＣＳＧセルへのハンドオーバを適切に行うことができる移動通信方法及び無線基地局を提供することを目的とする。
【課題を解決するための手段】
【０００８】
本発明の第１の特徴は、移動通信方法であって、第１周波数のセルで通信中の移動局が、アクセス権を有する限定セルに対応する所定エリア内に入ったことを検出した場合に、該第１周波数のセルを管理する第１無線基地局に対して、指示情報を送信する工程Ａと、前記第１無線基地局が、前記指示情報に応じて、前記限定セルを管理する第２無線基地局から、該限定セルに係るパラメータを取得する工程Ｂと、前記第１無線基地局が、前記パラメータに基づいて、前記移動局において前記限定セルを測定可能とするための設定を行う工程Ｃと、前記移動局が、前記第１無線基地局に対して、前記限定セルにおけるセル識別子及び測定結果を報告する工程Ｄとを有することを要旨とする。
【０００９】
本発明の第２の特徴は、第１周波数のセルを管理する無線基地局であって、前記第１周波数のセルで通信中の移動局が、アクセス権を有する限定セルに対応する所定エリア内に入ったことを検出した場合に、該移動局から、指示情報を受信するように構成されている指示情報受信部と、前記指示情報に応じて、前記限定セルを管理する第２無線基地局から、該限定セルに係るパラメータを取得するように構成されている取得部と、前記パラメータに基づいて、前記移動局において前記限定セルを測定可能とするための設定を行うように構成されているハンドオーバ処理部とを具備することを要旨とする。
【００１０】
本発明の第３の特徴は、限定セルを管理する無線基地局であって、第１周波数のセルで通信中の移動局が、アクセス権を有する前記限定セルに対応する所定エリア内に入ったことを検出した場合に、指示情報を受信した該第１周波数のセルを管理する無線基地局から、パラメータ取得要求を受信するように構成されている受信部と、前記パラメータ取得要求に応じて、運転停止状態から運転状態に遷移するように構成されている制御部と、前記運転状態に遷移した後、前記第１無線基地局に対して、前記限定セルに係るパラメータを送信するように構成されている送信部とを具備することを要旨とする。
【発明の効果】
【００１１】
以上説明したように、本発明によれば、効率的に「Ｅｎｅｒｇｙ  Ｓａｖｉｎｇ」を実現しつつ移動局のＣＳＧセルへのハンドオーバを適切に行うことができる移動通信方法及び無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【発明を実施するための形態】
【００１３】
（本発明の第１の実施形態に係る移動通信システムの構成）
図１乃至図３を参照して、本発明の第１の実施形態に係る移動通信システムの構成について説明する。
【００１４】
本実施形態に係る移動通信システムは、ＬＴＥ方式の移動通信システムであって、かかる移動通信システムには、図１に示すように、無線基地局ｅＮＢ＃Ａによって管理されている周波数ｆ１のセル＃Ａ、及び、無線基地局ＨｅＮＢ＃１によって管理されている周波数ｆ２のＣＳＧセル＃１が配置されている。ここで、ＣＳＧセル＃１は、セル＃Ａのエリア内に配置されている。
【００１５】
本実施形態に係る移動通信システムでは、移動局ＵＥは、アクセス権を有するＣＳＧセルの周波数に対応する所定エリアを管理するように構成されている。例えば、図１の例では、移動局ＵＥは、アクセス権を有するＣＳＧセル＃１の周波数ｆ２に対応する所定エリア＃１を管理するように構成されている。
【００１６】
ここで、所定エリア＃１は、上述のＣＳＧセル＃１よりも大きいエリアであってもよいし、上述のＣＳＧセル＃１と一致していてもよい。
【００１７】
所定エリア＃１は、Ｆｉｎｇｅｒｐｒｉｎｔ情報によって規定されるエリアであって、移動局ＵＥが上述のＣＳＧセル＃１が存在する「周辺環境」に関して記憶している情報である。
【００１８】
例えば、所定エリア＃１は、周辺に存在するマクロセルのＩＤやマクロセルからの信号受信レベルやＧＰＳ情報等に基づく情報であってよいし、或いは、位置登録エリアＩＤやＰＬＭＮ  ＩＤ等であってもよく、どのような情報を使うかは、実装依存であってよい。
【００１９】
また、移動局ＵＥは、セル＃Ａで通信中に、所定エリア＃１内に入ったことを検出した場合に、無線基地局ｅＮＢ＃Ａに対して、ＣＳＧセル＃１のＣＧＩ（Ｃｅｌｌ  Ｇｌｏｂａｌ  Ｉｄｅｎｔｉｔｙ）を含む「（Ｅｎｔｅｒｉｎｇ）  Ｐｒｏｘｉｍｉｔｙ  Ｉｎｄｉｃａｔｉｏｎ」を送信するように構成されている。
【００２０】
一方、移動局ＵＥは、セル＃Ａで通信中に、所定エリア＃１から外に出たことを検出した場合に、無線基地局ｅＮＢ＃Ａに対して、ＣＳＧセル＃１のＣＧＩを含む「（Ｌｅａｖｉｎｇ）  Ｐｒｏｘｉｍｉｔｙ  Ｉｎｄｉｃａｔｉｏｎ」を送信するように構成されている。
【００２１】
図２に示すように、無線基地局ｅＮＢ＃Ａは、Ｐｒｏｘｉｍｉｔｙ  Ｉｎｄｉｃａｔｉｏｎ受信部１１と、取得部１２と、記憶部１３と、ハンドオーバ処理部１４とを具備している。
【００２２】
受信部１１は、移動局ＵＥから、「Ｐｒｏｘｉｍｉｔｙ  Ｉｎｄｉｃａｔｉｏｎ」を受信するように構成されている。
【００２３】
取得部１２は、受信部１１によって受信された「Ｐｒｏｘｉｍｉｔｙ  Ｉｎｄｉｃａｔｉｏｎ」に応じて、交換局ＭＭＥ（Ｍｏｂｉｌｉｔｙ  Ｍａｎａｇｅｍｅｎｔ  Ｅｎｔｉｔｙ）を介して、或いは、直接、無線基地局ＨｅＮＢ＃１から、ＣＳＧセル＃１に係るパラメータを取得するように構成されている。
【００２４】
ここで、ＣＳＧセル＃１に係るパラメータには、ＣＳＧセル＃１で使用されているＰＣＩやＥＡＲＦＣＮ等が含まれている。
【００２５】
具体的には、取得部１２は、受信部１１によって受信された「Ｐｒｏｘｉｍｉｔｙ  Ｉｎｄｉｃａｔｉｏｎ」に応じて、交換局ＭＭＥ或いは無線基地局ＨｅＮＢ＃１に対して、「ＰＣＩ  Ｉｎｆｏ  Ｒｅｑｕｉｒｅｄ」を送信するように構成されている。
【００２６】
また、取得部１２は、交換局ＭＭＥ或いは無線基地局ＨｅＮＢ＃１から、ＣＳＧセル＃１に係るパラメータを含む「ＰＣＩ  Ｉｎｆｏ  Ｒｅｑｕｉｒｅｄ  Ａｃｋ」を受信するように構成されている。
【００２７】
記憶部１３は、取得部１２によって取得されたＣＳＧセル＃１に係るパラメータを記憶するように構成されている。
【００２８】
ハンドオーバ処理部１４は、記憶部１３によって記憶されているＣＳＧセル＃１に係るパラメータを参照して、移動局ＵＥのセル＃ＡからＣＳＧセル＃１へのハンドオーバ処理を行うように構成されている。
【００２９】
例えば、ハンドオーバ処理部１４は、移動局ＵＥに対して、かかるパラメータ（ＰＣＩ及びＥＡＲＦＣＮ）を含む「ｍｅａｓＣｏｎｆｉｇ」を含む「ＲＲＣ  Ｒｅｃｏｎｆｉｇｕｒａｔｉｏｎ」を送信するように構成されている。
【００３０】
図３に示すように、無線基地局ＨｅＮＢ＃１は、受信部２１と、制御部２２と、記憶部２３と、送信部２４とを具備している。
【００３１】
受信部２１は、無線基地局ｅＮＢ＃Ａから、「ＰＣＩ  Ｉｎｆｏ  Ｒｅｑｕｉｒｅｄ」を受信するように構成されている。或いは、受信部２１は、交換局ＭＭＥから、「ＰＣＩ  Ｉｎｆｏ  Ｒｅｑｕｅｓｔ」を受信するように構成されている。
【００３２】
制御部２２は、無線基地局ＨｅＮＢ＃１の状態、すなわち、運転停止状態或いは運転状態を制御するように構成されている。
【００３３】
例えば、制御部２２は、受信部２１によって「ＰＣＩ  Ｉｎｆｏ  Ｒｅｑｕｉｒｅｄ/ＰＣＩ  Ｉｎｆｏ  Ｒｅｑｕｅｓｔ」が受信された場合に、運転停止状態から運転状態に遷移するように構成されている。
【００３４】
記憶部２３は、無線基地局ＨｅＮＢ＃１配下のＣＳＧセル＃１で使用されているパラメータ（例えば、ＰＣＩやＥＡＲＦＣＮ等）を記憶するように構成されている。
【００３５】
送信部２４は、制御部２２によって無線基地局ＨｅＮＢ＃１が運転状態に遷移した後、無線基地局ｅＮＢ＃Ａに対して、ＣＳＧセル＃１に係るパラメータ（ＰＣＩ及びＥＡＲＦＣＮ）を含む「ＰＣＩ  Ｉｎｆｏ  Ｒｅｑｕｉｒｅｄ  Ａｃｋ」を送信するように構成されている。
【００３６】
或いは、送信部２４は、制御部２２によって無線基地局ＨｅＮＢ＃１が運転状態に遷移した後、交換局ＭＭＥに対して、ＣＳＧセル＃１に係るパラメータ（ＰＣＩ及びＥＡＲＦＣＮ）を含む「ＰＣＩ  Ｉｎｆｏ  Ｒｅｓｐｏｎｓｅ」を送信するように構成されている。
【００３７】
（本発明の第１の実施形態に係る移動通信システムの動作）
図４及び図５を参照して、本発明の第１の実施形態に係る移動通信システムの動作について説明する。
【００３８】
第１に、図４を参照して、本発明の第１の実施形態に係る移動通信システムにおける移動局ＵＥのセル＃ＡからＣＳＧセル＃１へのＳ１ハンドオーバ処理について説明する。
【００３９】
図４に示すように、ステップ０において、無線基地局ＨｅＮＢ＃１は、運転停止状態（電源オフ状態）に遷移している。
【００４０】
ステップ１において、無線基地局ｅＮＢ＃Ａが、移動局ＵＥに対して、「Ｐｒｏｘｉｍｉｔｙ  Ｉｎｄｉｃａｔｉｏｎ」を送信するように指示する「ｒｅｐｏｒｔＰｒｏｘｉｍｉｔｙＣｏｎｆｉｇ」を含む「ＲＲＣ  Ｒｅｃｏｎｆｉｇｕｒａｔｉｏｎ」を送信する。
【００４１】
移動局ＵＥは、ステップ２において、Ｆｉｎｇｅｒｐｒｉｎｔ情報を参照して、アクセス権を有する第２周波数ｆ２のＣＳＧセル＃１に対応する所定エリア＃１内に入ったことを検出した場合に、ステップ３において、無線基地局ｅＮＢ＃Ａに対して、ＣＳＧセル＃１のＣＧＩ及びＴＡＩ（Ｔｒａｃｋｉｎｇ  Ａｒｅａ  Ｉｄｅｎｔｉｔｙ）等を含む「Ｐｒｏｘｉｍｉｔｙ  Ｉｎｄｉｃａｔｉｏｎ」を送信する。
【００４２】
移動局ＵＥは、ステップ３において、移動局ＵＥが前回ＣＳＧセル＃１に在圏した際等に記憶しておいたＣＳＧセル＃１のＰＣＩを「Ｐｒｏｘｉｍｉｔｙ  Ｉｎｄｉｃａｔｉｏｎ」に含めてもよい。
【００４３】
ステップ４において、無線基地局ｅＮＢ＃Ａは、交換局ＭＭＥに対して、ＣＳＧセル＃１のＣＧＩ及びＴＡＩを含む「ＰＣＩ  Ｉｎｆｏ  Ｒｅｑｕｉｒｅｄ」を送信する。
【００４４】
ステップ５において、交換局ＭＭＥは、無線基地局ＨｅＮＢ＃１に対して、「ＰＣＩ  Ｉｎｆｏ  Ｒｅｑｕｅｓｔ」を送信する。この際、交換局ＭＭＥは、無線基地局ｅＮＢ＃Ａから報告されたＣＧＩ及びＴＡＩを用いて、無線基地局ＨｅＮＢ＃１に対する「ＰＣＩ  Ｉｎｆｏ  Ｒｅｑｕｅｓｔ」のルーティングを行うことができる。
【００４５】
無線基地局ＨｅＮＢ＃１は、ステップ６において、「ＰＣＩ  Ｉｎｆｏ  Ｒｅｑｕｅｓｔ」に応じて、運転状態（電源オン状態）に遷移する。このとき、例えば、Ｐｌｕｇ  ａｎｄ  Ｐｌａｙの機能によって、無線基地局ＨｅＮＢ＃１は、ＣＳＧセル＃１で使用するＰＣＩ及びＥＡＲＦＣＮを選択する。
【００４６】
例えば、無線基地局ＨｅＮＢ＃１は、周辺の電波環境をスキャンし、干渉量が最も少ない周波数、すなわち、ＥＡＲＦＣＮを選択してもよい。また、無線基地局ＨｅＮＢ＃１は、周辺の電波環境をスキャンし、周辺のセルで使用されていないＰＣＩを選択してもよい。ここで、周辺に存在する無線基地局の運転状態等に応じて、無線基地局ＨｅＮＢ＃１が選択するＰＣＩ及びＥＡＲＦＣＮは、起動する度に変わる可能性がある。
【００４７】
無線基地局ＨｅＮＢ＃１は、ステップ７において、交換局ＭＭＥに対して、ＣＳＧセル＃１のＰＣＩ及びＥＡＲＦＣＮ等のパラメータを含む「ＰＣＩ  Ｉｎｆｏ  Ｒｅｓｐｏｎｓｅ」を送信する。「ＰＣＩ  Ｉｎｆｏ  Ｒｅｓｐｏｎｓｅ」には、送信帯域幅等のパラメータが含まれてもよい。また、無線基地局ＨｅＮＢ＃１が、複数のキャリアに対応している場合、「ＰＣＩ  Ｉｎｆｏ  Ｒｅｓｐｏｎｓｅ」には、キャリアごとのＰＣＩ及びＥＡＲＦＣＮ等のパラメータが含まれてもよい。
【００４８】
ステップ８において、交換局ＭＭＥは、無線基地局ｅＮＢ＃Ａに対して、ＣＳＧセル＃１のＰＣＩ及びＥＡＲＦＣＮ等のパラメータを含む「ＰＣＩ  Ｉｎｆｏ  Ｒｅｑｕｉｒｅｄ  Ａｃｋ」を送信する。
【００４９】
無線基地局ｅＮＢ＃Ａは、ステップ９において、受信した「ＰＣＩ  Ｉｎｆｏ  Ｒｅｑｕｉｒｅｄ  Ａｃｋ」に含まれているＣＳＧセル＃１のＰＣＩ及びＥＡＲＦＣＮ等のパラメータを記憶する。
【００５０】
無線基地局ｅＮＢ＃Ａは、ステップ１０において、移動局ＵＥに対して、かかるＥＡＲＦＣＮ等のパラメータを含む「ｍｅａｓＣｏｎｆｉｇ」を含む「ＲＲＣ  Ｒｅｃｏｎｆｉｇｕｒａｔｉｏｎ」を送信する。
【００５１】
移動局ＵＥに対して、かかるＥＡＲＦＣＮの「ｍｅａｓＣｏｎｆｉｇ」が事前に行われていた場合は、ステップ１０は省かれてもよい。
【００５２】
また、ステップ１０において、かかるＰＣＩの情報が「ｍｅａｓＣｏｎｆｉｇ」に含まれてもよい。例えば、かかるＰＣＩのセルが、より早期に測定報告されるように、かかるＰＣＩについての測定結果にバイアスをかけるようなオフセット値が指定されてもよい。
【００５３】
ステップ１１において、移動局ＵＥは、無線基地局ｅＮＢ＃Ａに対して、「ＲＲＣ  Ｒｅｃｏｎｆｉｇ  Ｃｏｍｐｌｅｔｅ」を送信する。
【００５４】
ステップ１２において、移動局ＵＥは、ＣＳＧセル＃１における測定結果が所定条件を満たすと判定すると、無線基地局ｅＮＢ＃Ａに対して、ＣＳＧセル＃１のＰＣＩ及びＣＳＧセル＃１における測定結果を含む「Ｍｅａｓｕｒｅｍｅｎｔ  Ｒｅｐｏｒｔ」を送信する。
【００５５】
ただし、この時点で、移動局ＵＥは、報告したＰＣＩのセルが真に移動局ＵＥがアクセス権のあるＣＳＧセル＃１のものであるか否かについては判明していなくてもよい。
【００５６】
無線基地局ｅＮＢ＃Ａは、ステップ１３において、移動局ＵＥから報告されたＰＣＩが、先にステップ９にて記憶されていたＰＣＩと一致するかについて判定し、一致すると判定された場合に、ステップ１４において、移動局ＵＥに対して、かかるＰＣＩのセルのＳＩ（Ｓｙｓｔｅｍ  Ｉｎｆｏｒｍａｔｉｏｎ）を受信することを要求する「ＳＩ  ｒｅｐｏｒｔｉｎｇ  ｒｅｑｕｅｓｔ」を送信する。
【００５７】
ステップ１３において、無線基地局ｅＮＢ＃Ａは、更に移動局ＵＥから報告された測定結果が所定条件を満たすか否かについての判定を行ってもよい。
【００５８】
移動局ＵＥは、ステップ１５において、ＣＳＧセル＃１におけるＢＣＣＨを介して、ＣＳＧセル＃１で使用されているＣＧＩやＴＡＩやＣＳＧ  ＩＤを取得し、ステップ１６において、移動局ＵＥがＣＳＧセル＃１に対するアクセス権を有するか否かについて判定する「Ｐｒｅｌｉｍｉｎａｒｙ  ａｃｃｅｓｓ  ｃｈｅｃｋ」を行う。
【００５９】
ステップ１７において、移動局ＵＥは、無線基地局ｅＮＢ＃Ａに対して、ＣＳＧセル＃１で使用されているＣＧＩやＴＡＩ、及び、「Ｐｒｅｌｉｍｉｎａｒｙ  ａｃｃｅｓｓ  ｃｈｅｃｋ」の結果（本実施形態では、移動局ＵＥがＣＳＧセル＃１に対するアクセス権を有している旨）を示す「ｍｅｍｂｅｒ  ｉｎｄｉｃａｔｉｏｎ（ｍｅｍｂｅｒ  ｉｎｄ）」を含む「Ｍｅａｓｕｒｅｍｅｎｔ  Ｒｅｐｏｒｔ」を送信する。
【００６０】
無線基地局ｅＮＢ＃Ａは、ステップ１７において移動局ＵＥから報告されたＣＧＩによって、ハンドオーバ先のＣＳＧセルを一意に特定できる。また、無線基地局ｅＮＢ＃Ａは、報告されたＣＧＩ及びＴＡＩによって、無線基地局ＨｅＮＢ＃１への信号をルーティングできる。更には、無線基地局ｅＮＢ＃Ａは、報告された「ｍｅｍｂｅｒ  ｉｎｄ」によって、ネットワーク側（例えば交換局ＭＭＥ）において、アクセス権の認証が必要か否かについて判定できる。
【００６１】
ステップ１８において、無線基地局ｅＮＢ＃Ａは、交換局ＭＭＥに対して、かかるＣＧＩ及びＴＡＩを含む「ＨＯ  Ｒｅｑｕｉｒｅｄ」を送信し、ステップ１９において、交換局ＭＭＥは、無線基地局ＨｅＮＢ＃１に対して、「ＨＯ  Ｒｅｑｕｅｓｔ」を送信する。
【００６２】
ステップ２０において、無線基地局ＨｅＮＢ＃１は、交換局ＭＭＥに対して、「ＨＯ  Ｃｏｍｍａｎｄ」を含む「ＨＯ  Ｒｅｑｕｅｓｔ  Ａｃｋ」を送信し、ステップ２１において、交換局ＭＭＥは、無線基地局ｅＮＢ＃Ａに対して、「ＨＯ  Ｃｏｍｍａｎｄ」を含む「ＨＯ  Ｒｅｑｕｉｒｅｄ  Ａｃｋ」を送信する。
【００６３】
ステップ２２において、無線基地局ｅＮＢ＃Ａは、移動局ＵＥに対して、「ＨＯ  Ｃｏｍｍａｎｄ」を含む「ＲＲＣ  Ｒｅｃｏｎｆｉｇｕｒａｔｉｏｎ」を送信し、ステップ２３において、移動局ＵＥは、無線基地局ＨｅＮＢ＃１に対して、「ＨＯ  Ｃｏｍｐｌｅｔｅ」を含む「ＲＲＣ  Ｒｅｃｏｎｆｉｇ  Ｃｏｍｐｌｅｔｅ」を送信する。
【００６４】
ステップ２４において、無線基地局ＨｅＮＢ＃１は、交換局ＭＭＥに対して、「ＨＯ  Ｃｏｍｐｌｅｔｅ」を送信し、ステップ２５において、交換局ＭＭＥは、無線基地局ｅＮＢ＃Ａに対して、「ＵＥ  Ｃｏｎｔｅｘｔ  Ｒｅｌｅａｓｅ」を送信し、ステップ２６において、無線基地局ｅＮＢ＃Ａは、交換局ＭＭＥに対して、「ＵＥ  Ｃｏｎｔｅｘｔ  Ｒｅｌｅａｓｅ  Ａｃｋ」を送信する。
【００６５】
第２に、図５を参照して、本発明の第１の実施形態に係る移動通信システムにおける移動局ＵＥのセル＃ＡからＣＳＧセル＃１へのＸ２ハンドオーバ処理について説明する。
【００６６】
図５に示すように、ステップ０において、無線基地局ＨｅＮＢ＃１は、運転停止状態（電源オフ状態）に遷移している。
【００６７】
ステップ１において、無線基地局ｅＮＢ＃Ａが、移動局ＵＥに対して、「Ｐｒｏｘｉｍｉｔｙ  Ｉｎｄｉｃａｔｉｏｎ」を送信するように指示する「ｒｅｐｏｒｔＰｒｏｘｉｍｉｔｙＣｏｎｆｉｇ」を含む「ＲＲＣ  Ｒｅｃｏｎｆｉｇｕｒａｔｉｏｎ」を送信する。
【００６８】
移動局ＵＥは、ステップ２において、Ｆｉｎｇｅｒｐｒｉｎｔ情報を参照して、アクセス権を有する第２周波数ｆ２のＣＳＧセル＃１に対応する所定エリア＃１内に入ったことを検出した場合に、ステップ３において、無線基地局ｅＮＢ＃Ａに対して、ＣＳＧセル＃１のＣＧＩ及びＴＡＩ（Ｔｒａｃｋｉｎｇ  Ａｒｅａ  Ｉｄｅｎｔｉｔｙ）等を含む「Ｐｒｏｘｉｍｉｔｙ  Ｉｎｄｉｃａｔｉｏｎ」を送信する。
【００６９】
ステップ４において、無線基地局ｅＮＢ＃Ａは、無線基地局ＨｅＮＢ＃１に対して、ＣＳＧセル＃１のＣＧＩ及びＴＡＩを含む「ＰＣＩ  Ｉｎｆｏ  Ｒｅｑｕｉｒｅｄ」を送信する。
【００７０】
無線基地局ＨｅＮＢ＃１は、ステップ５において、「ＰＣＩ  Ｉｎｆｏ  Ｒｅｑｕｉｒｅｄ」に応じて、運転状態（電源オン状態）に遷移し、ステップ６において、無線基地局ｅＮＢ＃Ａに対して、ＣＳＧセル＃１のＰＣＩ及びＥＡＲＦＣＮ等のパラメータを含む「ＰＣＩ  Ｉｎｆｏ  Ｒｅｑｕｉｒｅｄ  Ａｃｋ」を送信する。
【００７１】
無線基地局ｅＮＢ＃Ａは、ステップ７において、受信した「ＰＣＩ  Ｉｎｆｏ  Ｒｅｑｕｉｒｅｄ  Ａｃｋ」に含まれているＣＳＧセル＃１のＰＣＩ及びＥＡＲＦＣＮ等のパラメータを記憶し、ステップ８において、移動局ＵＥに対して、かかるＰＣＩ及びＥＡＲＦＣＮ等のパラメータを含む「ｍｅａｓＣｏｎｆｉｇ」を含む「ＲＲＣ  Ｒｅｃｏｎｆｉｇｕｒａｔｉｏｎ」を送信する。
【００７２】
ステップ９において、移動局ＵＥは、無線基地局ｅＮＢ＃Ａに対して、「ＲＲＣ  Ｒｅｃｏｎｆｉｇ  Ｃｏｍｐｌｅｔｅ」を送信する。
【００７３】
ステップ１０において、移動局ＵＥは、無線基地局ｅＮＢ＃Ａに対して、ＣＳＧセル＃１における測定結果を含む「Ｍｅａｓｕｒｅｍｅｎｔ  Ｒｅｐｏｒｔ」を送信する。
【００７４】
無線基地局ｅＮＢ＃Ａは、ステップ１１において、ＣＳＧセル＃１における測定結果が所定条件を満たすと判定すると、ステップ１２において、移動局ＵＥに対して、ＳＩを受信すべきＣＳＧセル＃１のＰＣＩを通知する「ＳＩ  ｒｅｐｏｒｔｉｎｇ  ｒｅｑｕｅｓｔ」を送信する。
【００７５】
移動局ＵＥは、ステップ１３において、ＣＳＧセル＃１におけるＢＣＣＨを介して、ＣＳＧセル＃１で使用されているＣＧＩやＴＡＩやＣＳＧ  ＩＤを取得し、ステップ１４において、移動局ＵＥがＣＳＧセル＃１に対するアクセス権を有するか否かについて判定する「Ｐｒｅｌｉｍｉｎａｒｙ  ａｃｃｅｓｓ  ｃｈｅｃｋ」を行う。
【００７６】
ステップ１５において、移動局ＵＥは、無線基地局ｅＮＢ＃Ａに対して、ＣＳＧセル＃１で使用されているＣＧＩやＴＡＩ、及び、「Ｐｒｅｌｉｍｉｎａｒｙ  ａｃｃｅｓｓ  ｃｈｅｃｋ」の結果（本実施形態では、移動局ＵＥがＣＳＧセル＃１に対するアクセス権を有している旨）を示す「ｍｅｍｂｅｒ  ｉｎｄ」を含む「Ｍｅａｓｕｒｅｍｅｎｔ  Ｒｅｐｏｒｔ」を送信する。
【００７７】
ステップ１６において、無線基地局ｅＮＢ＃Ａは、無線基地局ＨｅＮＢ＃１に対して、「ＨＯ  Ｒｅｑｕｅｓｔ」を送信し、ステップ１７において、無線基地局ＨｅＮＢ＃１は、無線基地局ｅＮＢ＃Ａに対して、「ＨＯ  Ｃｏｍｍａｎｄ」を含む「ＨＯ  Ｒｅｑｕｅｓｔ  Ａｃｋ」を送信する。
【００７８】
ステップ１８において、無線基地局ｅＮＢ＃Ａは、移動局ＵＥに対して、「ＨＯ  Ｃｏｍｍａｎｄ」を含む「ＲＲＣ  Ｒｅｃｏｎｆｉｇｕｒａｔｉｏｎ」を送信し、ステップ１９において、移動局ＵＥは、無線基地局ＨｅＮＢ＃１に対して、「ＨＯ  Ｃｏｍｐｌｅｔｅ」を含む「ＲＲＣ  Ｒｅｃｏｎｆｉｇ  Ｃｏｍｐｌｅｔｅ」を送信する。
【００７９】
ステップ２０において、無線基地局ＨｅＮＢ＃１は、交換局ＭＭＥに対して、「Ｐａｔｈ  Ｓｗｉｔｃｈ」を送信し、ステップ２１において、交換局ＭＭＥは、無線基地局ＨｅＮＢ＃１に対して、「Ｐａｔｈ  Ｓｗｉｔｃｈ  Ａｃｋ」を送信する。
【００８０】
ステップ２２において、交換局ＭＭＥは、無線基地局ｅＮＢ＃Ａに対して、「ＵＥ  Ｃｏｎｔｅｘｔ  Ｒｅｌｅａｓｅ」を送信し、ステップ２３において、無線基地局ｅＮＢ＃Ａは、交換局ＭＭＥに対して、「ＵＥ  Ｃｏｎｔｅｘｔ  Ｒｅｌｅａｓｅ  Ａｃｋ」を送信する。
【００８１】
なお、図４や図５の手順は、無線基地局ＨｅＮＢ＃１が予め運転状態（電源オン状態）であった場合にも適用することができる。この場合、図４のステップ６や図５のステップ５は省かれてもよい。
【００８２】
（本発明の第１の実施形態に係る移動通信システムの作用・効果）
本発明の第１の実施形態に係る移動通信システムによれば、無線基地局ｅＮＢ＃Ａが、移動局ＵＥによって送信された「Ｐｒｏｘｉｍｉｔｙ  Ｉｎｄｉｃａｔｉｏｎ」に応じて、無線基地局ＨｅＮＢ＃１から、ＣＳＧセル＃１で使用されているＰＣＩやＥＡＲＦＣＮ等のパラメータを取得することができるので、無線基地局ＨｅＮＢ＃１において、これらのパラメータが頻繁に変更する可能性がある場合であっても、移動局ＵＥのＣＳＧセル＃１へのハンドオーバを確実に実現することができる。
【００８３】
また、本発明の第１の実施形態に係る移動通信システムによれば、無線基地局ｅＮＢ＃Ａが、移動局ＵＥによって送信された「Ｐｒｏｘｉｍｉｔｙ  Ｉｎｄｉｃａｔｉｏｎ」に応じて、無線基地局ＨｅＮＢ＃１に対して、「ＰＣＩ  Ｉｎｆｏ  Ｒｅｑｕｉｒｅｄ/ＰＣＩ  Ｉｎｆｏ  Ｒｅｑｕｅｓｔ」を送信し、無線基地局ＨｅＮＢ＃１が、かかる「ＰＣＩ  Ｉｎｆｏ  Ｒｅｑｕｉｒｅｄ/ＰＣＩ  Ｉｎｆｏ  Ｒｅｑｕｅｓｔ」に応じて、運転停止状態から運転状態に遷移することができるので、効率的に「Ｅｎｅｒｇｙ  Ｓａｖｉｎｇ」を実現することができる。
【００８４】
以上に述べた本実施形態の特徴は、以下のように表現されていてもよい。
【００８５】
本実施形態の第１の特徴は、移動通信方法であって、第１周波数ｆ１のセル＃Ａで通信中の移動局ＵＥが、アクセス権を有するＣＳＧセル＃１（限定セル）に対応する所定エリア＃１内に入ったことを検出した場合に、セル＃Ａを管理する無線基地局ｅＮＢ＃Ａ（第１無線基地局）に対して「Ｐｒｏｘｉｍｉｔｙ  Ｉｎｄｉｃａｔｉｏｎ（指示情報）」を送信する工程Ａと、無線基地局ｅＮＢ＃Ａが、「Ｐｒｏｘｉｍｉｔｙ  Ｉｎｄｉｃａｔｉｏｎ」に応じて、ＣＳＧセル＃１を管理する無線基地局ＨｅＮＢ＃１（第２無線基地局）から、ＣＳＧセル＃１に係るパラメータ（ＰＣＩ及びＥＡＲＦＣＮ）を取得する工程Ｂと、無線基地局ｅＮＢ＃Ａが、移動局ＵＥに対して、かかるパラメータ（ＰＣＩ及びＥＡＲＦＣＮ）を含む「ｍｅａｓＣｏｎｆｉｇ」を含む「ＲＲＣ  Ｒｅｃｏｎｆｉｇｕｒａｔｉｏｎ」を送信する工程Ｃと、移動局ＵＥが、無線基地局ｅＮＢ＃Ａに対して、ＣＳＧセル＃１におけるＰＣＩ（セル識別子）及び測定結果を含む「Ｍｅａｓｕｒｅｍｅｎｔ  Ｒｅｐｏｒｔ（測定報告）」を送信する工程Ｄとを有することを要旨とする。
【００８６】
本実施形態の第１の特徴において、工程Ｂは、無線基地局ｅＮＢ＃Ａが、「Ｐｒｏｘｉｍｉｔｙ  Ｉｎｄｉｃａｔｉｏｎ」に応じて、無線基地局ＨｅＮＢ＃１に対して「ＰＣＩ  Ｉｎｆｏ  Ｒｅｑｕｉｒｅｄ/ＰＣＩ  Ｉｎｆｏ  Ｒｅｑｕｅｓｔ（パラメータ取得要求）」を送信する工程と、無線基地局ＨｅＮＢ＃１が、「ＰＣＩ  Ｉｎｆｏ  Ｒｅｑｕｉｒｅｄ/ＰＣＩ  Ｉｎｆｏ  Ｒｅｑｕｅｓｔ」に応じて、運転停止状態から運転状態に遷移する工程と、無線基地局ＨｅＮＢ＃１が、運転状態に遷移した後、無線基地局ｅＮＢ＃Ａに対して、上述のパラメータ（ＰＣＩ及びＥＡＲＦＣＮ）を送信する工程とを有してもよい。
【００８７】
本実施形態の第１の特徴において、無線基地局ｅＮＢ＃Ａが、無線基地局ＨｅＮＢ＃１から取得したパラメータ（ＰＣＩ及びＥＡＲＦＣＮ）を記憶しておく工程Ｅを更に有してもよい。
【００８８】
本実施形態の第１の特徴において、無線基地局ｅＮＢ＃Ａは、工程Ｄにおいて移動局ＵＥから受信したＰＣＩと、工程Ｂにおいて無線基地局ＨｅＮＢ＃１から取得したＰＣＩとが一致した場合に、移動局ＵＥに対して、かかるＰＣＩによって特定されるＣＧＩセルにおける報知情報を受信して当該報知情報の一部を報告することを要求する工程Ｆを更に有してもよい。
【００８９】
本実施形態の第１の特徴において、工程Ａにおいて、「Ｐｒｏｘｉｍｉｔｙ  Ｉｎｄｉｃａｔｉｏｎ」に、ＣＳＧセル＃１のＣＧＩが含まれていてもよい。
【００９０】
本実施形態の第２の特徴は、無線基地局ｅＮＢ＃Ａであって、セル＃１で通信中の移動局ＵＥが、所定エリア＃１内に入ったことを検出した場合に、移動局ＵＥから「Ｐｒｏｘｉｍｉｔｙ  Ｉｎｄｉｃａｔｉｏｎ」を受信するように構成されているＰｒｏｘｉｍｉｔｙ  Ｉｎｄｉｃａｔｉｏｎ受信部１１と、「Ｐｒｏｘｉｍｉｔｙ  Ｉｎｄｉｃａｔｉｏｎ」に応じて、無線基地局ＨｅＮＢ＃１から、ＣＳＧセル＃１に係るパラメータ（ＰＣＩ及びＥＡＲＦＣＮ）を取得するように構成されている取得部１２と、移動局ＵＥに対して、かかるパラメータ（ＰＣＩ及びＥＡＲＦＣＮ）を含む「ｍｅａｓＣｏｎｆｉｇ」を含む「ＲＲＣ  Ｒｅｃｏｎｆｉｇｕｒａｔｉｏｎ」を送信するように構成されているハンドオーバ処理部１４とを具備することを要旨とする。
【００９１】
本実施形態の第２の特徴において、ハンドオーバ処理部１４は、移動局ＵＥからＣＳＧセル＃１におけるＰＣＩ及び測定結果を受信するように構成されており、受信したＰＣＩと、取得部１２によって無線基地局ＨｅＮＢ＃１から取得されたＰＣＩとが一致した場合に、移動局ＵＥに対して、かかるＰＣＩによって特定されるＣＳＧセルにおける報知情報を受信して当該報知情報の一部を報告することを要求するように構成されていてもよい。
【００９２】
本実施形態の第３の特徴は、無線基地局ＨｅＮＢ＃１であって、セル＃Ａで通信中の移動局ＵＥが、所定エリア＃１内に入ったことを検出した場合に、「Ｐｒｏｘｉｍｉｔｙ  Ｉｎｄｉｃａｔｉｏｎ」を受信した無線基地局ｅＮＢ＃Ａから、「ＰＣＩ  Ｉｎｆｏ  Ｒｅｑｕｉｒｅｄ/ＰＣＩ  Ｉｎｆｏ  Ｒｅｑｕｅｓｔ」を受信するように構成されている受信部２１と、「ＰＣＩ  Ｉｎｆｏ  Ｒｅｑｕｉｒｅｄ/ＰＣＩ  Ｉｎｆｏ  Ｒｅｑｕｅｓｔ」に応じて、運転停止状態から運転状態に遷移するように構成されている制御部２２と、運転状態に遷移した後、無線基地局ｅＮＢ＃Ａに対して、ＣＳＧセル＃１に係るパラメータ（ＰＣＩ及びＥＡＲＦＣＮ）を送信するように構成されている送信部２４とを具備することを要旨とする。
【００９３】
なお、上述の移動局ＵＥや無線基地局ｅＮＢ/ＨｅＮＢや交換局ＭＭＥの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＨｅＮＢや交換局ＭＭＥ内に設けられていてもよい。また、かかる記憶媒体及びプロセッサは、ディスクリートコンポーネントとして移動局ＵＥや無線基地局ｅＮＢ/ＨｅＮＢや交換局ＭＭＥ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９７】
ｅＮＢ、ＨｅＮＢ…無線基地局
１１…Ｐｒｏｘｉｍｉｔｙ  Ｉｎｄｉｃａｔｉｏｎ受信部
１２…取得部
１３、２３…記憶部
１４…ハンドオーバ処理部
２１…受信部
２２…制御部
２４…送信部
【図１】
2011142580.tif 000003
【図２】
2011142580.tif 000004
【図３】
2011142580.tif 000005
【図４】
2011142580.tif 000006
【図５】
2011142580.tif 000007